(57)【特許請求の範囲】
【請求項１】
前面に開口部を有しているとともに内部に空洞が形成された外箱と、前記開口部から前記空洞の内部に出入り自在に前記外箱に取り付けられた引出と、を備える収納装置であって、
前記外箱は、
前記外箱の内面下部に形成され、前記外箱の前面から後面へ向かって延びる下部案内部と、
前記外箱の内面下部のうち前記開口部の近傍に転動自在に取り付けられた外箱前部転動体と、
前記外箱の内面上部に形成され、前記外箱の前面から後面へ向かって延びる上部案内部と、
を有し、
前記引出は、
前記引出の下面に前記引出の前面から後面へ向かって延びて形成され、前記外箱前部転動体によって支持される引出案内部と、
前記引出の下面後端に転動自在に取り付けられ、前記下部案内部に当接可能な引出下部転動体と、
前記引出の上部後端に転動自在に取り付けられ、前記上部案内部に当接可能な引出上部転動体と、
を有し、
前記下部案内部は、前記外箱の後面の近傍に前記外箱の後面に行くに従って前記外箱の下部側へ下がる下部後端傾斜部と、前記外箱の下面を水平にして該外箱を載置したときに水平に延びる下部水平部と、前記下部水平部と前記下部後端傾斜部との間に、前記引出の後面側へ行くに従って上へ上がる第二下部傾斜部と、
を有する
ことを特徴とする収納装置。
【請求項２】
前面に開口部を有しているとともに内部に空洞が形成された外箱と、前記開口部から前記空洞の内部に出入り自在に前記外箱に取り付けられた引出と、を備える収納装置であって、
前記外箱は、
前記外箱の内面下部に形成され、前記外箱の前面から後面へ向かって延びる下部案内部と、
前記外箱の内面下部のうち前記開口部の近傍に転動自在に取り付けられた外箱前部転動体と、
前記外箱の内面上部に形成され、前記外箱の前面から後面へ向かって延びる上部案内部と、
を有し、
前記引出は、
前記引出の下面に前記引出の前面から後面へ向かって延びて形成され、前記外箱前部転動体によって支持される引出案内部と、
前記引出の下面後端に転動自在に取り付けられ、前記下部案内部に当接可能な引出下部転動体と、
前記引出の上部後端に転動自在に取り付けられ、前記上部案内部に当接可能な引出上部転動体と、
を有し、
前記上部案内部は、
前記後面から下部側へ下がる第一上部傾斜部と、
前記前面側へ行くに従って上部側へ上がる第二上部傾斜部と、
を有し、
前記第一上部傾斜部と前記第二上部傾斜部との境界の位置は、前記引出が前記外箱から引き出されたときに該引出の前面が下がるように傾き始めるときに、前記引出上部転動体が前記第二上部傾斜部に位置するように定められている
ことを特徴とする収納装置。
【請求項３】
請求項１又は２に記載の収納装置であって、
前記引出は、樹脂製の箱状の本体を有する、
ことを特徴とする収納装置。
【発明の詳細な説明】
【技術分野】
【０００１】
本発明は、収納装置に関する。
【背景技術】
【０００２】
従来、外箱と、外箱に出し入れ自在に挿入された引出とからなる収納装置が知られている。たとえば、特許文献１には、外箱および引出（内箱）にローラーを配し、簡易な構成であって且つ軽い力で引出を引き出すことができる収納装置（収納ボックス）が開示されている。
【０００３】
また、特許文献２には、外箱（チェスト本体）と引出とに、互いに対をなすレールが取り付けられ、このレールに沿ってローラーが走行することにより軽い力で引出を引き出すことができる収納装置（チェスト）が開示されている。特許文献２には、引出に設けられたレールは、引出の側面の下部に設けられていることが記載されている。さらに、特許文献２には、引出の側面の下部のうちレールが設けられた部分が内側へ凹んでいることが記載されている。
【先行技術文献】
【特許文献】
【０００４】
【特許文献１】特開平８−１０３３３９号公報
【特許文献２】特開２００９−２８５５４号公報
【発明の概要】
【発明が解決しようとする課題】
【０００５】
しかしながら、特許文献１に記載の収納装置では、たとえば衣類等の被収容物が引出の内部に収容された状態で引出を外箱から引き出すと、外箱に形成されたローラーよりも引出方向へ引出の重心が移動したときに、引出の前面が下がり引出の後面が上がるように引出が傾く。このとき、引出の後面の上端は外箱の内面に当接する。その結果、引出と外箱との間の摩擦が大きくなり、引出を引き出すために大きな力が必要になってしまうという問題があった。
また、特許文献２に記載のチェストでは、レールが設けられた部分が内側へ凹んでいるので、引出の内部には段が形成されている。引出の内部に段が形成されているので、引出に被収容物を収容したときに、被収容物を収容できない無駄な空間が段の周辺に発生するおそれがあり、収容効率が悪化するおそれもある。
【０００６】
本発明は、上述した事情に鑑みてなされたものであって、その目的は、引出が傾いたときにも引出を軽い力で引き出すことができ、且つ、引出内に被収容物を効率よく収容できる収納装置を提供することである。
【課題を解決するための手段】
【０００８】
上記課題を解決するために、この発明は以下の手段を提案している。
本発明の収納装置は、前面に開口部を有しているとともに内部に空洞が形成された外箱と、前記開口部から前記空洞の内部に出入り自在に前記外箱に取り付けられた引出と、を備える収納装置であって、前記外箱は、前記外箱の内面下部に形成され、前記外箱の前面から後面へ向かって延びる下部案内部と、前記外箱の内面下部のうち前記開口部の近傍に転動自在に取り付けられた外箱前部転動体と、前記外箱の内面上部に形成され、前記外箱の前面から後面へ向かって延びる上部案内部と、を有し、前記引出は、前記引出の下面に前記引出の前面から後面へ向かって延びて形成され、前記外箱前部転動体によって支持される引出案内部と、前記引出の下面後端に転動自在に取り付けられ、前記下部案内部に当接可能な引出下部転動体と、前記引出の上部後端に転動自在に取り付けられ、前記上部案内部に当接可能な引出上部転動体と、を有し、前記下部案内部は、前記外箱の後面の近傍に前記外箱の後面に行くに従って前記外箱の下部側へ下がる下部後端傾斜部と、前記外箱の下面を水平にして該外箱を載置したときに水平に延びる下部水平部と、前記下部水平部と前記下部後端傾斜部との間に、前記引出の後面側へ行くに従って上へ上がる第二下部傾斜部と、を有することを特徴とする。
【０００９】
また、本発明の収納装置は、前面に開口部を有しているとともに内部に空洞が形成された外箱と、前記開口部から前記空洞の内部に出入り自在に前記外箱に取り付けられた引出と、を備える収納装置であって、前記外箱は、前記外箱の内面下部に形成され、前記外箱の前面から後面へ向かって延びる下部案内部と、前記外箱の内面下部のうち前記開口部の近傍に転動自在に取り付けられた外箱前部転動体と、前記外箱の内面上部に形成され、前記外箱の前面から後面へ向かって延びる上部案内部と、を有し、前記引出は、前記引出の下面に前記引出の前面から後面へ向かって延びて形成され、前記外箱前部転動体によって支持される引出案内部と、前記引出の下面後端に転動自在に取り付けられ、前記下部案内部に当接可能な引出下部転動体と、前記引出の上部後端に転動自在に取り付けられ、前記上部案内部に当接可能な引出上部転動体と、を有し、前記上部案内部は、前記後面から下部側へ下がる第一上部傾斜部と、前記前面側へ行くに従って上部側へ上がる第二上部傾斜部と、を有し、前記第一上部傾斜部と前記第二上部傾斜部との境界の位置は、前記引出が前記外箱から引き出されたときに該引出の前面が下がるように傾き始めるときに、前記引出上部転動体が前記第二上部傾斜部に位置するように定められていることを特徴とする。
また、前記引出は、樹脂製の箱状の本体を有することが好ましい。
【発明の効果】
【００１０】
本発明の収納装置によれば、引出の後端上部に設けられた転動体と、外箱の内面上部に設けられた上部案内部とが設けられているので、引出が傾いたときにも引出を軽い力で引き出すことができ、且つ、引出内に被収容物を効率よく収容できる。
【図面の簡単な説明】
【００１１】
【図１】本発明の参考例の収納装置を示す斜視図である。
【図２】同収納装置における引出を示す右側面図である。
【図３】同引出の後面図である。
【図４】（Ａ）および（Ｂ）は同引出の一部の構成を示す斜視図である。
【図５】同収納装置における外箱を示す側面視の断面図である。
【図６】（Ａ）は図５のＡ−Ａ線における断面図、（Ｂ）は図５のＢ−Ｂ線における    断面図である。
【図７】同収納装置の使用時の動作を説明するための動作説明図である。
【図８】同収納装置の使用時の動作を説明するための動作説明図である。
【図９】本発明の第１実施形態の収納装置における引出を示す右側面図である。
【図１０】同引出の後面図である。
【図１１】同収納装置における外箱の断面図で、（Ａ）は図５のＡ−Ａ線と同じ断面    指示線における断面図、（Ｂ）は図５のＢ−Ｂ線と同じ断面指示線における断面図である。
【図１２】同収納装置の使用時の動作を説明するための動作説明図である。
【図１３】本発明の第２実施形態の収納装置を示す断面図である。
【図１４】同収納装置の使用時の動作を説明するための動作説明図である。
【発明を実施するための形態】
【００１２】
（参考例）
以下、本発明の参考例の収納装置１について図１から図９を参照して説明する。
図１は、本参考例の収納装置１を示す斜視図である。
収納装置１は、たとえば衣類や日用品などの被収容物を収納するためのものである。図１に示すように、収納装置１の外観形状は直方体状であり、引出２と、引出２を内部に収容するための開口が形成された外箱１０とを備える。
以下、本明細書では、収納装置１の各辺の向きに沿うようにＸ軸、Ｙ軸、Ｚ軸からなる直交座標軸を定め、Ｘ軸方向を収納装置１の前後方向、Ｙ軸方向を収納装置１の左右方向、Ｚ軸方向を収納装置１の上下方向として説明を行う。また、本明細書では、Ｘ軸における矢印方向が収納装置１の後向き、Ｙ軸における矢印方向が収納装置１の左向き、Ｚ軸における矢印方向が収納装置１の上向きである。
【００１３】
図２は、収納装置１における引出２を示す右側面図である。図３は、引出２の後面図である。図４（Ａ）は、図３に符号Ｐ１で示す部分を拡大して示す斜視図であり、図４（Ｂ）は、図３に符号Ｐ２で示す部分を拡大して示す斜視図である。
図１、図２および図３に示すように、引出２は、上部が開口された直方体形状の容器であり、矩形板状の底板部３と、底板部３から上側へ向かって延びる壁部４とが樹脂によって一体成形されたものである。壁部４は、底板部３の４辺から、底板部３の面方向に対して略垂直に立てられた板状に形成されている。
なお、本参考例では、引出２は全てが樹脂からなり、上下方向に型開きされる金型によって一体成形されている。この金型の抜き勾配によって、壁部４は、底板部３から上へ向かうに従って底板部３の前後左右へそれぞれ向かうようにごく僅かに傾斜して立てられている。底板部３および壁部４によって、引出２の本体が構成されている。
図４（Ａ）および図４（Ｂ）に示すように、引出２の前面を除く壁部４の上端には、下側へ折り返された折り返し部４ａが形成されている。折り返し部４ａは、引出２の強度を高めるために形成されている。
【００１４】
図２および図３に示すように、引出２の底板部３の下面には、引出２の前面から後面へ向かって延びて形成された引出案内部５と、後述する引出下部転動体７を転動自在に取り付けるための引出下部ブラケット６と、底板部３の下面から下方へ突出するストッパＳＢとが形成されている。
引出案内部５は、底板部３の下面の左右にそれぞれ形成されている。各引出案内部５は、底板部３の下面から僅かに突出し、引出２の前後方向に長い隆起形状に形成されている。引出２の左右方向において２つの引出案内部５の内側には、底板部３の強度を高めるためのリブ５ａがそれぞれ形成されている。なお、引出案内部５は、必ずしも底板部３から突出していなくてもよく、引出案内部５が底板部３の下面と同一平面上に位置していても構わない。
【００１５】
引出下部ブラケット６は、底板部３の下面のうち引出２の後端の位置であって、引出２の左右方向において引出案内部５よりも内側の位置に一対形成されている。各引出下部ブラケット６は、引出２の左右方向に隙間を開けて形成された一対の軸受６ａを有する。各引出下部ブラケット６に設けられた軸受６ａには、引出下部転動体７がそれぞれ転動自在に嵌め込まれている。
引出下部転動体７は、円板状に形成された本体７ａと、各引出下部ブラケット６に形成された一対の軸受の隙間に嵌め込まれる中心軸７ｂとを有する。引出下部転動体７は、中心軸７ｂ回りに転動自在に引出下部ブラケット６によって保持されている。
【００１６】
図２および図３に示すように、引出２の壁部４の上端のうち引出２の後端には、引出上部ブラケット８が形成されている。
図４（Ａ）および図４（Ｂ）に示すように、引出上部ブラケット８は、引出２の後端の左右に一つずつ形成されており、上側に形成された開口と、後述する引出上部転動体９の中心軸９ｂが嵌め込まれる軸受８ａとが形成されている。引出上部ブラケット８に形成された軸受８ａは、それぞれ上側に開いた略Ｕ字形状に形成されており、軸受８ａの下端は円弧状に湾曲して形成されている。軸受８ａの上端側は軸受８ａの下端側よりも開き幅が狭くなっている。より詳しくは、軸受８ａの下端側の開き幅は引出上部転動体９の中心軸９ｂの直径よりも僅かに大きく、軸受８ａの上端側の開き幅は引出上部転動体９の中心軸９ｂの直径よりも僅かに小さい。これにより、引出上部ブラケット８は引出上部転動体９を転動自在に支持することができる。
【００１７】
引出上部ブラケット８は、引出２の壁部４の上端に形成された折り返し部４ａに形成されている。このため、引出上部ブラケット８は、引出２の内面には突出していない。さらに、引出上部ブラケット８は、壁部４の強度を高めるためのリブとしての折り返し部４ａの機能を損なうことがないように、折り返し部４ａのうち引出２の後端の角にそれぞれ形成されている。すなわち、折り返し部４ａのうち引出２の左右の壁部４の上端に形成された折り返し部４ａ１と、引出２の後面の壁部４に形成された折り返し部４ａ２とは、それぞれ引出上部ブラケット８によって分断されることなくそれぞれ一続きに形成されている。
【００１８】
図２、図４（Ａ）、および図４（Ｂ）に示すように、引出上部転動体９は、円板状に形成された本体９ａと、各引出上部ブラケット８の軸受８ａに嵌め込まれる中心軸９ｂとを有する。引出上部転動体９は、中心軸９ｂ回りに転動自在に引出上部ブラケット８によって保持されている。
【００１９】
図５は、収納装置１における外箱１０を示す側面視の断面図である。図６（Ａ）は、図５のＡ−Ａ線における断面図である。図６（Ｂ）は、図５のＢ−Ｂ線における断面図である。
図１に示すように、外箱１０は、上述の開口部が前面に形成されているとともに、底面の中央部分に略矩形形状の貫通孔が形成された略直方体形状の部材である。外箱１０の底面に形成された貫通孔は、外箱を軽量とし、また外箱を構成する樹脂材料の使用量を削減するための肉抜きのために形成されている。
【００２０】
図１および図５に示すように、外箱１０は、天板部１１と、外箱１０の左右、後部、および底部のそれぞれの壁部を構成する下部構造体１６と、下部構造体１６および天板部１１の前部に設けられ、下部構造体１６と天板部１１とを連結して外箱１０の前部の強度を高める前枠部２３とが組み合わされて形成されている。天板部１１と、下部構造体１６と、前枠部２３とのそれぞれは、樹脂によって一体成形されている。これにより、金型を用いた樹脂成形によって外箱１０を成形する場合に型の構成を単純なものにできるため生産性がよい。なお、外箱１０は、必ずしも下部構造体１６と天板部１１と前枠部２３との組み合わせによって構成されている必要はなく、一体成形されるものであってもよい。
【００２１】
図５に示すように、外箱１０の内面上部、すなわち天板部１１の下面には、外箱１０の前面から後面へ向かって延びる上部案内部１２が形成されている。上部案内部１２の下端は、図５に示す側面視において後述する下部案内部１７の上面と平行に設けられている。
本参考例では、上部案内部１２は、天板部１１の周縁に沿って延びる略長方形状の凹みの下端によって構成されている。
【００２２】
図５および図６（Ｂ）に示すように、下部構造体１６の内面下部には、外箱１０の前面から後面へ向かって延びる下部案内部１７と、開口部の近傍に形成された外箱前部ブラケット２１と、外箱の内面下部から上方へ突出して形成され、上述のストッパＳＢに当接可能に設けられたストッパＳＡとが形成されている。
図６（Ｂ）に示すように、下部案内部１７は、下部構造体１６の内面下部において左右に１つずつ形成されている。
下部案内部１７は、下部構造体１６の内面下部から上側に向かって突出して形成された一対の案内壁部２０によって、下部構造体１６の前後方向に長く形成されている。一対の案内壁部２０の間隔は、上述の引出下部転動体７の円板部分の厚さ寸法よりも僅かに大きい。一対の案内壁部２０は、引出２に設けられた引出下部転動体７が各案内壁部２０の間に挿入されるようになっており、引出下部転動体７を下部案内部１７の長手方向に沿って案内することができるようになっている。
【００２３】
外箱前部ブラケット２１は、外箱１０の下部構造体１６の前面側で、前枠部２３より後ろに形成されている。なお、外箱前部ブラケット２１は、外箱１０の前面に近い位置に形成されていることが好ましい。外箱前部ブラケット２１には、左右方向に延びる中心軸が形成された円板状の外箱前部転動体２２が転動自在に取り付けられている。
外箱前部転動体２２は、円板形状の本体２２ａと、各外箱前部ブラケット２１に嵌め込まれる中心軸２２ｂとを有する。
ストッパＳＡは、外箱１０から引出２を引き出す際に、引出２に形成されたストッパＳＢが当接するものであり、外箱１０から引出２が脱落するのを防止するために設けられたものである。
【００２４】
以上に説明した構成の収納装置１の使用時の動作について図７および図８を参照しながら説明を行う。図７および図８は、収納装置１の使用時の動作を説明するための動作説明図である。
図７に示すように、外箱１０の内部に引出２が収容された状態では、外箱１０の前面と引出２の前面とは面一になっている。
【００２５】
次に、引出２をたとえば手作業によって外箱１０の外部へ引き出すと、引出下部転動体７が外箱１０の下部案内部１７上を転がり、外箱前部転動体２２が引出２の引出案内部５上を転がることにより、軽い力で外箱１０に対して引出２を移動させることができる。このとき、引出上部転動体９と上部案内部１２との間には隙間があり、引出上部転動体９と上部案内部１２は接触していない。したがって、引出２は、外箱前部転動体２２と下部案内部１７とによって図７において２点で支持されている。なお、外箱前部転動体２２と下部案内部１７は収納装置１の左右にそれぞれ１つずつ設けられているので、収納装置１の全体では、引出２は合計４点で支持されている。
【００２６】
図８に示すように、引出２が外箱１０からさらに引き出された場合に、引出２の重心、あるいは被収容物が内部に収容された引出２の重心が、外箱前部転動体２２よりも前側へ移動したときに、引出２の前面が下がり、引出２の後面が上がるように引出２が傾く。すると、引出下部転動体７は下部案内部１７から上方向へ移動することによって下部案内部１７から離間する。さらに、引出上部転動体９は上部案内部１２において水平に形成された上部水平部１３に当接する。引出下部転動体７が下部案内部１７から離間するので、引出２は、外箱前部転動体２２と上部水平部１３とによって図８において２点で支持されている。なお、外箱前部転動体２２と上部水平部１３は収納装置１の左右にそれぞれ１つずつ設けられているので、収納装置１の全体では、引出２は合計４点で支持されている。この状態で引出２を外箱１０からさらに引き出すと、引出上部転動体９は上部水平部１３に沿って転がり移動する。これにより、引出２を完全に引き出すまでの間、常に軽い力で引出２を移動させることができる。
【００２７】
なお、引出下部転動体７、引出上部転動体９、および外箱前部転動体２２によって引出２と外箱１０とが５点あるいは６点で支持される場合もありうるが、引出下部転動体７、引出上部転動体９、および外箱前部転動体２２がいずれも転動体であるから、軽い力で引出２を外箱１０に対して出し入れすることができる。
また、外箱１０に形成されたストッパＳＡに、引出２に形成されたストッパＳＢが当接することにより、引出２を外箱１０から最大限に引き出したときに引出２が外箱１０から外れることが防止されている。
【００２８】
以上説明したように、本参考例の収納装置１によれば、引出２の上部後端に転動自在に取り付けられた引出上部転動体９と、外箱１０の内面上部に形成された上部案内部１２とによって、上部案内部１２にそって引出上部転動体９が転がりつつ引出２が外箱１０から引き出されるようになっているので、引出２の前面が下がる向きに引出２が傾いた状態であっても引出２を軽い力で移動させることができる。
さらに、引出上部転動体９が引出２の後端に設けられているので、引出にレールを取り付ける必要がない。このため、引出の両側面にレールを設ける従来の引出と比較して、引出の内部に張り出すような段を形成する必要がなくなるので、引出内に被収容物を効率よく収容できる。
また、引出２および外箱１０にレールを取り付ける必要がないので、引出２および外箱１０を組み立てる工程を簡略化することができる。
【００２９】
（第１実施形態）
次に、本発明の第１実施形態の収納装置１Ａについて図９ないし図１２を参照して説明する。図９は、本実施形態の収納装置１Ａにおける引出２Ａを示す断面図である。図１０は、収納装置１Ａにおける引出２Ａの後面図である。図１１は、収納装置１Ａにおける外箱１０Ａの断面図で、（Ａ）は図５のＡ−Ａ線と同じ断面指示線における断面図、（Ｂ）は図５のＢ−Ｂ線と同じ断面指示線における断面図である。図１２は、収納装置１Ａの使用時の動作を説明するための動作説明図である。
【００３０】
図１、図９、および図１１（Ａ）に示すように、本実施形態の収納装置１Ａは、引出２に代えて設けられた引出２Ａと、外箱１０に代えて設けられた外箱１０Ａとを有する。
図９に示すように、引出２Ａには、引出２Ａの前後方向に延び、且つ下方向へ張り出して形成された凸条形状の引出案内部５Ａが、上述の引出案内部５に代えて形成されている。引出２Ａの前面側において、引出案内部５Ａには、前面側へ行くにしたがって上へ行く引出前部傾斜部５Ａ１が形成されている。
【００３１】
図１１（Ａ）および図１１（Ｂ）に示すように、外箱１０Ａは、上部案内部１２に代えて設けられた上部案内部１２Ａと、下部案内部１７に代えて設けられた下部案内部１７Ａとを有する。
上部案内部１２Ａは、外箱１０の下面を水平にして外箱１０Ａを載置したときに水平となる上部水平部１３と、外箱１０の後面の方へ行くに従って下へ下がる一対の後部案内壁部１４と、後部案内壁部１４と一続きに形成され、外箱１０Ａの前面へ向かって延びる一対の案内壁部１５とを有している。後部案内壁部１４および案内壁部１５は、上述の引出上部転動体９の円板部分の厚さ寸法よりも僅かに大きな間隔を空けて形成されており、上部水平部１３の幅を規定する。後部案内壁部１４および案内壁部１５は、引出２Ａに設けられた引出上部転動体９が各案内壁部１５の間に挿入されるようになっており、引出上部転動体９を上部案内部１２の長手方向に沿って案内することができるようになっている。
【００３２】
上部水平部１３と後部案内壁部１４との境界の位置は、外箱１０Ａの後面から前面へ向かって測ったときの後部案内壁部１４の長さが後述する下部後端傾斜部１９の長さと等しくなるように定められている。
【００３３】
図１１（Ｂ）および図１２に示すように、下部案内部１７Ａは、外箱１０Ａの下面を水平にして外箱１０Ａを載置したときに水平に延びる下部水平部１８と、外箱１０Ａの後面に行くに従って下へ下がるように外箱１０Ａの後面の近傍に形成された下部後端傾斜部１９とを有する。下部水平部１８と下部後端傾斜部１９との境界の位置は、下部案内部１７Ａと、引出下部転動体７との位置関係に基づいて定められている。すなわち、下部後端傾斜部１９は、図７に示すように外箱１０Ａ内に引出２Ａが完全に収容された位置関係、あるいは外箱１０Ａから引出２Ａが僅かに引き出された位置関係において、引出下部転動体７が下部後端傾斜部１９に接するようになっている。
また、下部後端傾斜部１９の傾斜角度およびその長さは、引出２Ａの引出案内部５Ａに形成された引出前部傾斜部５Ａ１の傾斜角度およびその長さと略等しくされている。これにより、外箱１０Ａを水平に載置して引出２Ａを外箱１０Ａに対して出し入れする場合に、引出２Ａの底板部３は水平に維持される。
【００３４】
以上に説明した構成の収納装置１Ａの作用について説明する。
外箱１０Ａの内部に引出２Ａが完全に収容された状態では、引出下部転動体７は、下部後端傾斜部１９上に位置している。このため、引出２Ａは、重力によって外箱１０の後面側へ移動する力を受ける。これにより、引出２Ａの前面と外箱１０の前面とは面一になるように維持されている。これにより、たとえば外箱１０を載置する載置面が水平から僅かに傾いている場合にも、その傾きが僅かであれば、外箱１０から引出２Ａが重力により引き出されることが抑えられている。
【００３５】
本実施形態の収納装置１Ａでは、引出下部転動体７が下部後端傾斜部１９上にあるときには、引出２Ａは外箱１０Ａ内へ収容される方向へ重力によって引き込まれる。これにより、引出２Ａを外箱１０Ａに押し込んだときに引出２Ａと外箱１０Ａとが衝突したときの反動で引出２Ａが外箱１０Ａから引き出された位置へ戻るのを抑えることができる。
さらに、引出下部転動体７が下部後端傾斜部１９上にあるときには、引出２Ａは外箱１０Ａ内へ収容される方向へ重力によって引き込まれるので、引出２Ａが自動的に外箱１０Ａ内に収まる。このため、引出２Ａの前面が外箱１０Ａの前面と自動的に面一となるので、見栄えがよい。
また、引出２Ａの引出下部案内部５Ａに形成された引出前部傾斜部５Ａ１と、外箱１０Ａの下部案内部１７Ａに形成された下部後端傾斜部１９とによって、引出２Ａを外箱１０Ａに対して出し入れしたときに引出２Ａの底板部３を水平に維持することができるので、引出２Ａに収容した内容物が引出２Ａ内で偏ることを防ぐことができる。
【００３６】
（第２実施形態）
次に、本発明の第２実施形態の収納装置１Ｂについて図１３および図１４を参照して説明する。なお、本実施形態において、上述した各実施形態で説明した収納装置１、１Ａと構成を共通とする箇所には同一符号を付けて、説明を省略することにする。
図１３は、本実施形態の収納装置１Ｂを示す断面図である。図１４は、収納装置１Ｂの使用時の動作を説明するための動作説明図である。
図１３に示すように、本実施形態の収納装置１Ｂは、上述の参考例の引出２と、第１実施形態の外箱１０Ａに代えて設けられた外箱１０Ｂとを有する。外箱１０Ｂは、下部案内部１７Ａに代えて下部案内部１７Ｂを有し、上部案内部１２Ａに代えて上部案内部１２Ｂを有する。
【００３７】
下部案内部１７Ｂは、下部水平部１８と下部後端傾斜部１９との間に、引出２の後面側へ行くに従って上へ上がる第二下部傾斜部２４を有している。下部水平部１８、第二下部傾斜部２４、および下部後端傾斜部１９は、この順に前側から後側へ向かって一続きに繋がって形成されており、下部水平部１８と第二下部傾斜部２４との境界は、外箱１０Ｂの前後方向の中間部に位置している。より詳しくは、下部水平部１８と第二下部傾斜部２４との境界の位置は、被収容物の重量分布が均等となるように引出２内に被収容物を収容した場合の引出２の重心位置に基づいて、この引出２が外箱１０Ｂから引き出されたときに引出２の前面が下がるように傾き始めるときに、引出下部転動体７が下部水平部１８に位置するように定められている。
【００３８】
下部水平部１８に対する第二下部傾斜部２４の傾斜角度θは、引出２が重力に従って前側へ移動できる程度の大きさとされており、ごく僅かで構わない。
【００３９】
第二下部傾斜部２４は、第１実施形態で説明した下部案内部１７Ａと同様に、引出下部転動体７の円板部分が間に入り込む一対の案内壁部２０（図１１（Ｂ）参照）を有している。
【００４０】
上部案内部１２Ｂには、上部水平部１３に代えて、外箱１０Ｂの後面から外箱１０Ｂの前後方向の中間部へ行くに従って下部側へ下がる第一上部傾斜部２６と、前記中間部から外箱１０Ｂの前面側へ行くに従って上へ上がる第二上部傾斜部２７とが形成されている。
また、外箱１０Ｂの上部には、後部案内壁部１４に代えて、後面へ行くにしたがって下へ向かう傾斜面が形成された後部案内部１４Ｂが形成されている。
【００４１】
第二上部傾斜部２７、第一上部傾斜部２６、および後部案内部１４Ｂは、この順に前側から後側へ向かって一続きに繋がって形成されている。第一上部傾斜部２６と第二上部傾斜部２７との境界の位置は、上述と同様に被収容物の重量分布が均等となるように引出２内に被収容物を収容した場合の引出２の重心位置に基づいて定められる。より詳しくは、第一上部傾斜部２６と第二上部傾斜部２７との境界の位置は、この引出２が外箱１０Ｂから引き出されたときに引出２の前面が下がるように傾き始めるときに、引出上部転動体９が第二上部傾斜部２７に位置するように定められている。
第一上部傾斜部２６、および第二上部傾斜部２７は、参考例で説明した上部案内部１２と同様に、引出上部転動体９の円板部分が間に入り込む一対の案内壁部２５（図１１（Ａ）参照）を有している。
【００４２】
図１３に示すように、本実施形態の収納装置１Ｂでは、引出２が外箱１０Ｂ内に完全に収容されている状態では、第１実施形態で説明したのと同様に引出２の前面が外箱１０Ｂの前面と面一となるように維持される。
外箱１０Ｂから引出２をたとえば手作業によって引き出すと、引出下部転動体７が下部後端傾斜部１９を超えて第二下部傾斜部２４へ移動したときに、重力によって引出２が下方向へ移動する力が引出２にかかるので、引出下部転動体７は第二下部傾斜部２４に沿って転がる。これにより、引出２に水平方向の外力をかけることなく引出２は外箱１０Ｂから引き出される。
【００４３】
図１４に示すように、外箱１０Ｂから引出２が引き出されると、引出２の重心が外箱前部転動体２２より前側へ移動したときに引出２は上述と同様に前面が下に下がるように傾く。すると、引出２の後端は上に上がり、引出上部転動体９は上部案内部１２Ｂに当接する。より詳しくは、引出上部転動体９は、第二上部傾斜部２７に当接し、第二上部傾斜部２７に沿って転がる。
【００４４】
第二上部傾斜部２７は、外箱１０Ｂの前面に行くに従って上に上がるように傾斜して形成されているので、引出２にかかる重力によって、引出上部転動体９は第二上部傾斜部２７に沿って前側へ転がるように移動する。これにより、引出２の自重によって引出２は外箱１０Ｂからさらに引き出される。なお、引出２が外箱１０Ｂから引き出されるに従って引出２の傾きは僅かに大きくなるが、第二上部傾斜部２７の傾斜角度はごく僅かであればよく、引出２の内部の被収容物が引出２から落ちることはない。また、引出２は、ストッパＳＢが外箱１０ＢのストッパＳＡに当接したときに停止する。
【００４５】
本実施形態の収納装置１Ｂによれば、引出２が外箱１０Ｂに完全に収容されている状態から僅かに引出２を引き出して、引出下部転動体７が下部後端傾斜部１９を越えて第二下部傾斜部２４へと移動したあとは、引出２が全開になるまで自動的に引出２が移動するので、引出２をより容易に引き出すことができる。
【００４６】
以上、本発明の実施形態について図面を参照して詳述したが、具体的な構成はこの実施形態に限られるものではなく、本発明の要旨を逸脱しない範囲の設計変更等も含まれる。
たとえば、上述の実施形態において、引出下部転動体、引出上部転動体、および外箱前部転動体は円板形状の本体と、本体に形成された中心軸とを有する例を示したが、引出下部転動体、引出上部転動体、および外箱前部転動体の構成はこれに限られない。たとえば、引出下部転動体、引出上部転動体、および外箱前部転動体は、球状や円筒状に形成されていてもよい。
【００４７】
また、引出下部ブラケット６は、引出２の左右方向において引出案内部５の内側の位置に一対形成されていてもよい。この場合、引出下部ブラケット６の位置に応じて下部案内部１７の位置を変えることが好ましい。
【００４８】
また、外箱前部ブラケット２１は、前枠部２３に形成されていてもよい。
また、外箱１０がたとえば一体成形によって構成されているなど、外箱１０が前枠部２３を必須としない構造である場合には、外箱前部ブラケット２１は、下部構造体１６の下部においてその前面に近い位置にあればよい。
【００４９】
また、上述の各実施形態では、引出は全て樹脂で成形されている例を示したが、引出の底板部３および壁部４の一部に、たとえば装飾等の目的で金属等が用いられていても構わない。
【００５０】
また、引出下部転動体７、引出上部転動体９、および外箱前部転動体２２の形状は、互いに異なっていてもよく、また互いに同形同大であってもよい。引出下部転動体７、引出上部転動体９、および外箱前部転動体２２が互いに同形同大である場合には、収納装置の製造に用いる部品の種類が少ないため、製造効率がよい。
また、上述の各実施形態において示した構成要素は適宜に組み合わせて構成することが可能である。
【符号の説明】
【００５１】
１，１Ａ，１Ｂ…収納装置、２，２Ａ…引出、５，５Ａ…引出案内部、７…引出下部転動体、９…引出上部転動体、１０…外箱、１２，１２Ａ，１２Ｂ…上部案内部、１７，１７Ａ，１７Ｂ…下部案内部、１９…下部後端傾斜部、２２…外箱前部転動体、２４…第二下部傾斜部、２６…第一上部傾斜部、２７…第二上部傾斜部
【図１】
0005739132.tif 000002
【図２】
0005739132.tif 000003
【図３】
0005739132.tif 000004
【図４】
0005739132.tif 000005
【図５】
0005739132.tif 000006
【図６】
0005739132.tif 000007
【図７】
0005739132.tif 000008
【図８】
0005739132.tif 000009
【図９】
0005739132.tif 000010
【図１０】
0005739132.tif 000011
【図１１】
0005739132.tif 000012
【図１２】
0005739132.tif 000013
【図１３】
0005739132.tif 000014
【図１４】
0005739132.tif 000015